(57)【要約】【課題】    一般的なのぼり旗は、風の強いときには、殆どの旗が、風で旗竿に巻きついたり、捲れ上がったりしており、旗本来の宣伝・告知効果が希薄化されているという問題があった。また、風の影響を弱めるために、意図的に旗を低い位置に設置したものが多く、この場合も、旗本来の宣伝・告知効果が希薄化されるという問題があった。【解決手段】    本発明は、前記の課題に鑑みてなされたもので、四角状の旗体と、該旗体の上縁に縫着された輪状部を有する複数の上縁部乳布と、前記旗体の一方の側縁に縫着された輪状部を有する複数の側縁部乳布と、前記側縁部乳布の輪状部に挿通される旗竿を備えた旗体であって、前記旗体の側縁の下方部の少なくとも一つの側縁部乳布の輪状部には、離脱不能に縫合された乳布側リング体と、該リング体と離脱不能に結合された旗竿側リング体とが取付けられており、前記旗竿には、旗竿側リング体が上方への移動を防止するストッパーが設けられていることを特徴とする。【選択図】図２
2017016073.tif 000002
【特許請求の範囲】
【請求項１】
四角状の旗体と、該旗体の上縁に縫着された輪状部を有する複数の上縁部乳布と、前記旗体の一方の側縁に縫着された輪状部を有する複数の側縁部乳布と、前記側縁部乳布の輪状部に挿通される旗竿とを備えた旗体の構造であって、前記旗体の側縁の下方部の少なくとも一つの側縁部乳布の輪状部には、離脱不能に縫合された乳布側リング体と、該リング体と離脱不能に結合された旗竿側「略８の字状」リング体とが取付けられており、前記旗竿は、旗竿側リング体の上方への移動を防止するストッパーが設けられていることを特徴とする。
【請求項２】
前記乳布側リング体、及び、前記旗竿側リング体が可撓性を有する針金状の金属で成形されることを特徴とする請求項１に記載の旗体の構造。
【発明の詳細な説明】
【技術分野】
【０００１】  本発明は、宣伝・告知などに使用される旗体に関する。
【背景技術】
【０００２】  市中で多くののぼり旗の旗体を見掛けるが、一般的には、殆どののぼり旗は、旗竿に、のぼり旗に縫着された側縁部乳布の輪状部を挿通させた状態のみで使用されている。【０００３】  特許文献１には、Ｃ字型の開口部を弾性的に広げて旗竿外周の所定位置に嵌め合せて固定可能な固定リングを設けると共に、Ｃ字型の開口部を弾性的に広げて旗竿外周に回転自在に取り付け可能な回転リングを設け、この回転リングから下向きに半円筒状の紐係止用スリーブを一体に設け、このスリーブの外側には係止された紐を保持するフックを設け、前記回転リングは前記固定リングの下方に配置してなる旗体の巻きつき防止具が開示されている。
【先行技術文献】
【０００４】
【特許文献１】  登録実用新案  第３０３９７７９号
【発明の概要】
【発明が解決しようとする課題】
【０００５】  一般的なのぼり旗は、風の強いときには、殆どの旗が、風で旗竿に巻きついたり、捲れ上がったりしており、旗本来の宣伝・告知効果が希薄化されているという問題があった。また、風の影響を弱めるために、意図的に旗を低い位置に設置したものが多く、この場合も、旗本来の宣伝・告知効果が希薄化されるという問題があった。【０００６】  次に、特許文献１に記載の考案は、巻きつき防止具の構成が複雑なため防止具を製造するためには、樹脂を成型加工しなければならないなど製造コストが高コストであるという問題があった。【０００７】  そこで、本発明は、風の影響で旗が、旗竿への巻きつき・捲れ上がるのを防止し、かつ、安価に製造できる簡易型の巻きつき・捲れ上がり防止機能を備えた、のぼり旗を構成する旗体を提供することを課題とする。
【課題を解決するための手段】
【０００８】  本発明は、前記の課題に鑑みてなされたもので、四角状の旗体と、該旗体の上縁に縫着された輪状部を有する複数の上縁部乳布と、前記旗体の一方の側縁に縫着された輪状部を有する複数の側縁部乳布と、前記側縁部乳布の輪状部に挿通される旗竿とを備えた旗体であって、前記旗体の側縁の下方部の少なくとも一つの側縁部乳布の輪状部には、離脱不能に縫合された乳布側リング体と、該リング体と離脱不能に結合された旗竿側リング体とが取付けられており、前記旗竿には、旗竿側リング体が上方への移動を防止するストッパーが設けられていることを特徴とする。【０００９】  また、前記乳布側リング体及び、前記旗竿側リング体は、可撓性を有する針金状の金属で成形される。
【発明の効果】
【００１０】  請求項１に記載の構造においては、旗体の下方部の一つの側縁部乳布の輪状部に縫合された乳布側リング体、該リング体と離脱不能に結合された旗竿側リング体が、旗竿に設けられたストッパーによって上方への移動が防止されるため、旗体は、風が吹いても旗竿に巻きつき・捲れ上がることがない。これにより、のぼり旗本来の宣伝・告知効果が充分に発揮されるという効果を有する。【００１１】  請求項２に記載の旗体のリング体は、旗体の巻きつき・捲れ上がり防止を二つのリング体を結合させて行うため、構造が簡素でありまた、リング体の素材が針金状の金属であるため成形が容易、かつ、安価に製造できるという効果を有する。
【図面の簡単な説明】
【００１２】
【図１】本発明の旗体の一例を示す略視図
【図２】本発明の旗体を旗竿に取り付けた略図
【図３】乳布側リング体と旗竿側リング体とを示す略視図
【図４】乳布側リング体と旗竿側リング体とが乳布に取りつけられた略視図
【図５】旗竿側リング体を旗竿に取り付けた状態を示す略視図
【発明を実施するための形態】
【００１３】  本発明の実施例について図１〜図５に基づいて説明する。旗体１は、長方形状で広告体が印刷された薄い布で構成されている。この旗体１には、その上縁部に輪状を有する複数の上縁部乳布２が縫着され、さらに、側縁部にも輪状を有する複数の側縁部乳布３が縫着されている。この上縁部乳布２、および、側縁部乳布３は、細長い布を折りたたんで、その両端を旗体１に縫着することで輪状部が形成される。
【００１４】  前記、旗体１の側縁部に設けられた側縁部乳布３のうちの下方部（図Ｉでは、下から２番目）の乳布３の輪状部には、離脱不能の状態で細長いリング状の乳布側リング体４が取付けられている。さらに、この乳布側リング体４には、離脱不能の状態で円形状の旗竿側リング体５が連結されている。この旗竿側リング体５は、大小２つの「略８の字状」のリング体で構成されており、小さいリング部５ｂには、乳布側リング体４が連結されており、片方の大きいリング部５ａは、旗竿７が挿通されている。なお、旗竿側リング体５ａの内径は、旗竿７の外径よりも若干大きい径とするのが好ましい。
【００１５】  図３に示す略楕円状の乳布側リング体４の長さは、使用する乳布の幅を考慮して決めるが、使用する乳布の幅より若干長めでよい。また、略楕円状部の幅は、乳布を通す部分で有り適宜でよい。
【００１６】  前記、乳布側リング体４および、「略８の字状」の旗竿側リング体５の素材は、共に可撓性を有する針金状の金属で構成されており、各リング状端部の接合は、「ハンダ」などで結合されている。
【００１７】  尚、旗竿７には、該旗竿７の外径よりも大径とされるストッパー部６が設けられており、このストッパー部６によって旗竿７に挿通された旗竿側リング体５ａの上方への移動が防止されるようになっている。なお、このストッパー部６は、伸縮調整用として旗竿７の長さを調整する、調整ネジ部材で構成されている。
【００１８】  図３に示す乳布側リング体４と、側縁部乳布３の縫合は、図４で示すように事前に縫合しておく。
【００１９】  側縁部乳布３の旗体１への縫着は、旗竿側リング体の取り付けられていない乳布３は、旗の上部より順次縫着するが、図４に示す旗竿側リング体が縫合された乳布３は、図２で示すように、旗竿７のストッパー部６の下方に旗竿側リング体５ａを挿通させる必要上、旗竿側リング体が縫合された乳布３は、ストッパー部６下方直近の旗体側縁部の位置に縫着する。
【００２０】  本実施例、図２においては、乳布側リン体４が、下から２番目の側縁部乳布３に取り付けた例を示したが、最下部の側縁部乳布３に乳布側リン体４を取り付けても良いものである。つまり、旗竿側に設けられるストッパー部６よりも下側に位置する側縁部に、乳布側リング体４が取り付けられた乳布３を縫着することで旗体１が、旗竿への巻きつき・捲れ上がりを防止することが出来るのである。
【００２１】  旗竿７への旗体１の各乳布３及び、旗竿側リング体５ａの挿通は、旗体１上部の乳布３から、旗竿７の下部より順々に挿通し、旗竿７への設置を完了させる。
【００２２】  本発明の旗体１は、公知の伸縮調整ネジ付きの旗竿７に取り付け、のぼり旗として、展示会などの宣伝・広告用として使用される。
【符号の説明】
【００２３】１    旗体
２    上縁部乳布
３    側縁部乳布
４    乳布側リング体
５    旗竿側リング体
５ａ  大きいリング体
５ｂ  小さいリング体
６    ストッパー
７    旗竿
８    上部横棒（カンザシ）
【図１】
2017016073.tif 000003
【図２】
2017016073.tif 000004
【図３】
2017016073.tif 000005
【図４】
2017016073.tif 000006
【図５】
2017016073.tif 000007
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
市中で見かける一般的な四角状の旗体、該旗体の上縁部に縫着された輪状部を有する複数の上縁部乳布と、該旗体の一方の側縁に縫着された輪状部を有する複数の側縁部旗竿挿通用乳布を備えた一般的な旗体であって、該旗体に使用する旗竿は、公知の「伸縮調整ネジ付きの突起部を備えた旗竿」と旗体の構造であるが、本発明は、前記旗体の側縁の下方部の少なくとも一つの側縁部乳布の輪状部に離脱不能に結合された乳布側リング体と該リング体と離脱不能に結合された旗竿挿通用「略８の字状」リング体が取付けられこの旗竿側リング体を旗竿に挿通させるが、使用する該旗竿の伸縮調整ネジ部の突起部分にストッパーの役目をさせ「略８の字状」リング体が上方への移動防止目的に使用するため「略８の字状」リング体を側縁部乳布の旗体に縫着する側縁部は、該旗体を旗竿に設置したとき該旗竿の伸縮調整ネジ部の突起部直近下方の位置の側縁に側縁部乳布を縫着し「旗の巻きつき・捲れ上がり防止」の目的に使用することを特徴とする旗体の構造。